【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】  印刷を施されたウェブを断裁する鋸胴と、
該鋸胴の上流側に設けられ、該ウェブ上のマークを検出するマーク検出器と、
該鋸胴により該ウェブが断裁されるタイミングと該マーク検出器により該マークが検出されるタイミングとの差に基づいて該ウェブにかかる張力を変化させて該タイミングずれを調整するコンペンセータロータとをそなえた印刷機の断裁制御装置であって、
製版用の画像データあるいは製版用の画像データを加工した画像データの解像度を該マーク検出器の解像度に変換する画像データ変換手段と、
該画像データ変換手段により変換された画像データに基づいてマーク位置を算出するマーク位置算出手段と、
該マーク検出器を該ウェブの幅方向に移動させる駆動手段と、
印刷開始前に、該マーク位置算出手段により算出された該マーク位置に基づいて該駆動手段を制御する制御手段とをそなえている
ことを特徴とする、印刷機の断裁制御装置。
【請求項２】  該マーク検出器の現在位置を推定する現在位置推定手段をそなえ、
該マーク位置算出手段は、該現在位置推定手段により推定された該マーク検出器の現在位置に最も近いマーク位置を算出する
ことを特徴とする、請求項１記載の印刷機の断裁制御装置。
【請求項３】  該制御手段は、
該マーク位置と該マーク検出器の現在位置との間の距離をディスプレイに表示する
ことを特徴とする、請求項２記載の印刷機の断裁制御装置。
【請求項４】  該制御手段は、
該ウェブの幅方向における該マーク位置と該マーク検出器の現在位置との位置関係をディスプレイに表示する
ことを特徴とする、請求項２記載の印刷機の断裁制御装置。
【請求項５】  印刷を施されたウェブを断裁する鋸胴と、
該鋸胴の上流側に設けられ、該ウェブ上のマークを検出するマーク検出器と、
該鋸胴により該ウェブが断裁されるタイミングと該マーク検出器により該マークが検出されるタイミングとの差に基づいて該ウェブにかかる張力を変化させて該タイミングずれを調整するコンペンセータロータとをそなえた印刷機の断裁制御装置であって、
製版用の画像データあるいは製版用の画像データを加工した画像データの解像度を該マーク検出器の解像度に変換する画像データ変換手段と、
該画像データ変換手段により変換された画像データに基づいてマーク位置を算出するマーク位置算出手段と、
該マーク検出器の現在位置を推定する現在位置推定手段と、
印刷開始前に、該マーク位置と該マーク検出器の現在位置との間の距離をディスプレイに表示する制御手段とをそなえている
ことを特徴とする、印刷機の断裁補助装置。
【請求項６】  印刷を施されたウェブを断裁する鋸胴と、
該鋸胴の上流側に設けられ、該ウェブ上のマークを検出するマーク検出器と、
該鋸胴により該ウェブが断裁されるタイミングと該マーク検出器により該マークが検出されるタイミングとの差に基づいて該ウェブにかかる張力を変化させて該タイミングずれを調整するコンペンセータロータとをそなえた印刷機の断裁制御装置であって、
製版用の画像データあるいは製版用の画像データを加工した画像データの解像度を該マーク検出器の解像度に変換する画像データ変換手段と、
該画像データ変換手段により変換された画像データに基づいてマーク位置を算出するマーク位置算出手段と、
該マーク検出器の現在位置を推定する現在位置推定手段と、
印刷開始前に、該ウェブの幅方向における該マーク位置と該マーク検出器の現在位置との位置関係をディスプレイに表示する制御手段とをそなえている
ことを特徴とする、印刷機の断裁補助装置。
【手続補正２】
【補正対象書類名】明細書
【補正対象項目名】０００１
【補正方法】変更
【補正の内容】
【０００１】
【発明の属する技術分野】
本発明は、印刷を施されたウェブを所定位置で断裁するのに用いて好適の、印刷機の断裁制御装置及び断裁補助装置に関する。
【手続補正３】
【補正対象書類名】明細書
【補正対象項目名】０００９
【補正方法】変更
【補正の内容】
【０００９】
【課題を解決するための手段】
このため、本発明の印刷機の断裁制御装置（請求項１）は、印刷を施されたウェブを断裁する鋸胴と、該鋸胴の上流側に設けられ、該ウェブ上のマークを検出するマーク検出器と、該鋸胴により該ウェブが断裁されるタイミングと該マーク検出器により該マークが検出されるタイミングとの差に基づいて該ウェブにかかる張力を変化させて該タイミングずれを調整するコンペンセータロータとをそなえた印刷機の断裁制御装置であって、製版用の画像データあるいは製版用の画像データを加工した画像データの解像度を該マーク検出器の解像度に変換する画像データ変換手段と、該画像データ変換手段により変換された画像データに基づいてマーク位置を算出するマーク位置算出手段と、該マーク検出器を該ウェブの幅方向に移動させる駆動手段と、印刷開始前に、該マーク位置算出手段により算出された該マーク位置に基づいて該駆動手段を制御する制御手段とをそなえていることを特徴としている。
【手続補正４】
【補正対象書類名】明細書
【補正対象項目名】００１１
【補正方法】変更
【補正の内容】
【００１１】
該制御手段は、該ウェブの幅方向における該マーク位置と該マーク検出器の現在位置との位置関係をディスプレイに表示することが好ましい（請求項４）。
本発明の印刷機の断裁補助装置（請求項５）は、印刷を施されたウェブを断裁する鋸胴と、該鋸胴の上流側に設けられ、該ウェブ上のマークを検出するマーク検出器と、該鋸胴により該ウェブが断裁されるタイミングと該マーク検出器により該マークが検出されるタイミングとの差に基づいて該ウェブにかかる張力を変化させて該タイミングずれを調整するコンペンセータロータとをそなえた印刷機の断裁制御装置であって、製版用の画像データあるいは製版用の画像データを加工した画像データの解像度を該マーク検出器の解像度に変換する画像データ変換手段と、該画像データ変換手段により変換された画像データに基づいてマーク位置を算出するマーク位置算出手段と、該マーク検出器の現在位置を推定する現在位置推定手段と、印刷開始前に、該マーク位置と該マーク検出器の現在位置との間の距離をディスプレイに表示する制御手段とをそなえていることを特徴としている。
【手続補正５】
【補正対象書類名】明細書
【補正対象項目名】００１２
【補正方法】変更
【補正の内容】
【００１２】
本発明の印刷機の断裁補助装置（請求項６）は、印刷を施されたウェブを断裁する鋸胴と、該鋸胴の上流側に設けられ、該ウェブ上のマークを検出するマーク検出器と、該鋸胴により該ウェブが断裁されるタイミングと該マーク検出器により該マークが検出されるタイミングとの差に基づいて該ウェブにかかる張力を変化させて該タイミングずれを調整するコンペンセータロータとをそなえた印刷機の断裁制御装置であって、製版用の画像データあるいは製版用の画像データを加工した画像データの解像度を該マーク検出器の解像度に変換する画像データ変換手段と、該画像データ変換手段により変換された画像データに基づいてマーク位置を算出するマーク位置算出手段と、該マーク検出器の現在位置を推定する現在位置推定手段と、印刷開始前に、該ウェブの幅方向における該マーク位置と該マーク検出器の現在位置との位置関係をディスプレイに表示する制御手段とをそなえていることを特徴としている。
【手続補正６】
【補正対象書類名】明細書
【補正対象項目名】００３６
【補正方法】変更
【補正の内容】
【００３６】
【発明の効果】
以上詳述したように、請求項１記載の本発明の印刷機の断裁制御装置によれば、画像データ変換手段が、製版用の画像データあるいは製版用の画像データを加工した画像データの解像度をマーク検出器の解像度に変換した後、マーク位置算出手段が、前記変換された画像データに基づいてウェブ上のマークが存在する位置を算出し、制御手段が、印刷開始前に、マーク位置算出手段により算出されたマーク位置に基づいて駆動手段をウェブの幅方向に移動させるので、印刷開始前にマーク検出器をマーク位置まで移動することが可能である。これにより、印刷開始時からウェブ上のマークを検出でき、ウェブの断裁位置を一定に保つことができるので、損紙を大幅に低減することができる。
【手続補正７】
【補正対象書類名】明細書
【補正対象項目名】００３９
【補正方法】変更
【補正の内容】
【００３９】
請求項５記載の本発明の印刷機の断裁補助装置によれば、画像データ変換手段が、製版用の画像データあるいは製版用の画像データを加工した画像データの解像度をマーク検出器の解像度に変換した後、マーク位置算出手段が、前記変換された画像データに基づいてウェブ上のマークが存在する位置を算出するとともに、現在位置推定手段が、マーク検出器の現在位置を推定し、制御手段が、印刷開始前に、マーク位置とマーク検出器の現在位置との間の距離をディスプレイに表示するので、作業者にマーク検出器の移動を促すことができるとともに、マーク検出器をどれだけ移動させればよいかを知らせることができる。これにより、作業者は印刷開始前にマーク検出器をマーク位置まで移動することができるので、印刷開始時からウェブ上のマークを検出することができる。つまり、印刷開始時からウェブの断裁位置を一定に保つことができるので、損紙を大幅に低減することができる。
【手続補正８】
【補正対象書類名】明細書
【補正対象項目名】００４０
【補正方法】変更
【補正の内容】
【００４０】
請求項６記載の本発明の印刷機の断裁補助装置によれば、画像データ変換手段が、製版用の画像データあるいは製版用の画像データを加工した画像データの解像度をマーク検出器の解像度に変換した後、マーク位置算出手段が、前記変換された画像データに基づいてウェブ上のマークが存在する位置を算出するとともに、現在位置推定手段が、マーク検出器の現在位置を推定し、制御手段が、印刷開始前に、ウェブの幅方向におけるマーク位置とマーク検出器の現在位置との位置関係をディスプレイに表示するので、作業者にマーク検出器の移動を促すことができ、作業者はそのディスプレイを見て、印刷開始前にマーク検出器をマーク位置まで移動することができる。これにより、印刷開始時からウェブ上のマークを検出することができ、ウェブの断裁位置を一定に保つことができるので、損紙を大幅に低減することができる。